【事件の表示】
　平成　５年特許願第１０３９８６号「画像形成記憶装置」拒絶査定に対する審判事件［平成　６年１１月　８日出願公開、特開平　６−３１４３０４］について、次のとおり審決する。
【結　論】
　本件審判の請求は、成り立たない。
【理　由】
１．手続の経緯・本願発明
　
　本願は、平成５年４月３０日の出願であって、その請求項１に係る発明（以下、本願発明という。）は、平成１５年２月５日付けの手続補正書によって補正された明細書及び図面の記載からみて、その特許請求の範囲の請求項１に記載された
　
　「原稿の画像を画像データとして読み取る画像読取手段と、
　一単位の画像情報を一単位の文書として記憶する記憶手段と、
　該記憶手段に記憶された各々の文書から１または複数のインデックス情報を作成するインデックス情報作成手段と、
　該手段によって作成されたインデックス情報及び前記記憶手段に記憶された文書を用紙上に画像形成して出力する画像形成手段と、
　使用者の命令を受け付ける操作部とを備えた画像形成記憶装置において、
　前記使用者の命令および当該装置の状態に応じて各部のモードを設定する手段と、
　前記使用者の命令に応じて前記画像読取手段に原稿の画像を読み取らせる手段と、
　前記使用者の命令に応じて前記画像形成手段に前記インデックス情報に含まれるインデックス画像データを出力させる手段と、
　前記使用者の命令に応じて前記記憶手段を操作し、また前記画像形成手段に前記記憶手段に記憶された文書を画像形成出力させる手段と、
　前記使用者の命令の受け取りによる入力の変化、前記各手段の状態の変化およびエラー状態をイベントとして検出する手段と、該イベントをモニタする処理を行う手段とを備え、前記イベントに応じて当該装置の動作が変化するようにする制御部と、
　前記記憶手段による一連の画像情報の記憶処理中に割り込みイベントを確認した場合に処理状態の情報を記憶する手段と、
　その後割り込み解除イベントを確認した場合に記憶してある前記処理状態の情報を用いて割り込みイベント発生時の処理状態を復元する手段と、
　前記記憶手段による一連の画像情報の記憶処理を中断する場合に前記割り込みイベントを発生させ、再開時に前記割り込み解除イベントを発生させて、画像情報の記憶処理を中断時と同一の文書として行なうようにする中断管理手段とを設けたことを特徴とする画像形成記憶装置。」にあると認める。
　
２．引用例
　
　これに対して、原査定の拒絶の理由に引用された特開平４−２４８７４号公報（平成４年１月２８日出願公開。以下、引用例１という。）には、画像形成記憶装置に関して図面とともに次の事項が記載されている。
（１）第１図は、この発明の画像形成記憶装置として、たとえば複写装置の電気回路（ハードウェア構成）を示すものである。
　すなわち、複写装置は、基本システム部１、画像処理部２、メモリ部３、入出力部４、画像蓄積部５、システムバス６、画像バス７、およびバーコード読取部８から構成されている。（第２頁左下欄第７−１３行）
（２）上記入出力部４は、原稿上の文書情報を光学的に読み取って時系列の電気信号に変換する原稿読取部としてのスキャナ４１、画像データを印刷出力する画像出力部としてのプリンタ４３、およびそれらとシステムとを接続するスキャナインタフェース４０とプリンタインタフェース４２とから構成されている。
　上記画像蓄積部５は、各種データを光ディスクに記録する光ディスク装置５１、およびシステムとの接続を可能とする光ディスクインタフェース２０からなる。（第３頁左上欄第１−１１行）
（３）第２図は、複写装置の構成を示すものである。
　すなわち、上記スキャナ４１は、自動反転原稿送り装置（リターン・オート・ドキュメント・フィーダ；ＲＡＤＦ）２０６と、第１キャリッジ２２１・・・からなる露光走査光学系と、露光制御部２２９とから構成されている。
　一方、原稿は原稿ガラス２２０上に下向きに置かれ、その原稿の載置基準は原稿ガラス２２０の短手方向の正面左側がセンタ基準となっている。この場合、原稿は、ＲＡＤＦ２０６の搬送ユニット部２１８の搬送ベルト２１２によって原稿ガラス２２０上に押え付けられる。（第３頁右上欄第７−２０行）
（４）以上のようにして、原稿ガラス２２０上に載置された原稿またはＲＡＤＦ２０６によって自動搬送された原稿の画像（文書情報）は１ラインごとに順に読み取られ、画像の濃淡を示す８ビットのディジタル信号（画像データ）としてスキャナインタフェース４０に出力される。（第３頁右下欄第８行−右下欄第１３行）
（５）光ディスク装置５１は、光ディスク２３３、光ディスク駆動モータ２３４、光学ヘッド（図示しない）、および光ディスク駆動制御部２３５とから構成されている。
　画像データの蓄積、つまり原稿の登録によるファイリング動作時には、スキャナ４１で読み取った画像データが・・・光ディスクインターフェース５０を介して光ディスク装置５１へ送られる。圧縮された画像データは、・・・光ディスク２３３上にビット情報として記録（ファイル）される。（第４頁右上欄第８行−左下欄第２行）
（６）第３図は、複写装置の操作表示部９の構成を示すものである。
　すなわち、操作表示部９は、操作のためのデータの入力を行う前記キーボード１１と、システムの状態などを表示するための前記表示パネル１２とから構成されている。
　キーボード１１は、コピー機能およびファイル機能の動作を開始させるための開始キー３００、ファイルモード／コピーモードを選択させるためのファイルキー３０１・・・”ＲＡＤＦ”読取り時における原稿入力の完了時に動作を終了させるための終了キー３０４、各種データの入力を行わせるためのテンキー３０４、および上記ファイルモードまたは検索モードが選択されたときにその条件を設定するための条件設定スイッチパネル３０６により構成されている。（第６頁左上欄第１５行−右上欄１３行）
（７）第５図は、文書の登録と抄録の作成における動作例を示すものである。
　たとえば今、キーボード１１のファイルキー３０１が投入されたとする。そして、複数枚（Ｎ枚）の原稿がスキャナ４１のＲＡＤＦ２０６に、また光ディスク２３３が光ディスク装置５１にそれぞれセットされる。すると、光ディスク２３３の装着がＣＰＵ１０によって検知され、アクセスによる光ディスク２３３の登録状況としてのボリューム番号、登録ファイル数、未登録スペース容量などが表示パネル１２上に表示される。
　そして、上記表示パネル１２上のメッセージを通して登録可の状態が確認された際に、キーボード１１の開始キー３００が押下されることにより、第１枚目の原稿の文書情報がスキャナー４１で電気信号に変換され、・・・ページメモリ３０（ここでは、仮にＡ頁と呼ぶ）に一時的に格納される。引続き、上記格納された画像データは、一旦、ＣＯＤＥＣ２１によりデータ量が圧縮された後、光ディスク装置５１を通して光ディスク２３３に蓄積される。
　同時に、基本システム部１からの制御により、登録される情報には光ディスク２３３に登録される順番により文書単位でファイル番号が割り当てられる。そして、ここで発番されたファイル番号は、光ディスク２３３内の検索情報として光ディスク２３３の検索情報領域に登録される。
　一方、ページメモリ３０に格納された画像データには、上記ボリューム番号、ファイル番号などからなる検索情報としてのバーコードＢＣＤ１，ＢＣＤ２と数字列４０３，４０６のイメージデータとが付加される。このバーコードＢＣＤ１，ＢＣＤ２と数字列４０３，４０６のイメージデータとが付加された第１頁の情報は、画像バス７、プリンタインターフェース４２をそれぞれ介して送られて、プリンタ４３により抄録ＰＰの表紙（表面４００）の印字が行われる。
　次いで、第２頁目の原稿の文書情報が第１頁目と同様にスキャナー４１で電気信号に変換され・・・光ディスク装置５１を通して光ディスク２３３に蓄積される。
　次いで、ページメモリ３０に格納された画像データは、・・・抄録ＰＰの裏面４０７用に割り当てられた特定のページメモリ３０（ここでは、仮にＢページと呼ぶ）に一旦格納される。
　このようにして、以上の処理が第１７頁あるいは最終（Ｎ）頁まで順に行われる。さらに、第１頁目と同様に、検索時のキー情報としてバーコードＢＣＤ１、ＢＣＤ２と数字列４０３、４０６とによる検索情報が付加される。
　以上、検索情報が付加された抄録ＰＰの裏面データは・・・プリンタ４３により既に表面４００が印字された前記抄録ＰＰの裏面４０７に形成される。（第７頁右上欄第１５行−第８頁左上欄第１７行）
（８）以上により、原稿上の文書情報は画像データとして光ディスク２３３に登録（ファイル）され、かつ１枚目の表面４００が第１頁目の文書情報、１枚目の裏面４０７、もしくは２枚目以降に文書情報の全体をイメージする縮小画像を記録した複数枚の抄録ＰＰが得られる。
　なお、上記した抄録ＰＰに関する表面データおよび裏面データをそれぞれファイルしておくようにすれば、必要に応じて、適宜、すでに登録されている文書の抄録ＰＰをプリントアウトすることも可能である。（第８頁右上欄第４行−第１４行）
（９）これにより、一致するファイル番号がある場合には、そのファイル番号に対応した画像データ領域から画像データが１頁単位で読み出される。そして、光ディスク装置５１から読み出された画像データは、・・・プリンタ４３により１頁単位で転写紙Ｐ上にプリントされる。（第８頁右下欄第８−１８行）
　
　上記記載事項（７）の「引続き、上記格納された画像データは、一旦、ＣＯＤＥＣ２１によりデータ量が圧縮された後、光ディスク装置５１を通して光ディスク２３３に蓄積される。同時に、基本システム部１からの制御により、登録される情報には光ディスク２２３に登録される順番により文書単位でファイル番号が割り当てられる。」によれば、文書の画像データは、文書単位でファイル番号を割り当て記録しているので、一単位の画像情報を一単位の文書として記録していると認める。
　また、上記記載事項（７）および図面第４図（ｂ）によれば、抄録ＰＰは、一文書の各頁の圧縮された画像データを行列状に列べたものなので、文書の各頁をインデックス情報として一覧に供したものである。
　してみると、抄録ＰＰのインデックス情報は文書の画像データから作成したものであり、文書中の一頁を一インデックス情報として、一文書から頁数に応じた数のインデックス情報を作成している。したがって、抄録ＰＰは、各々の文書から１または複数のインデックス情報を作成し、一覧表としたものである。そして、文書の圧縮された画像データは、上記のようにインデックス情報として用いられるので、インデックス画像データであると認める。
　したがって、引用例１には、
　「原稿の画像を画像データとして読み取る原稿読取部と、
　一単位の画像画像を一単位の文書として記録する光ディスク装置と、
　原稿読取部で読み取られページメモリに格納された各々の文書から１または複数のインデックス情報を作成するインデックス情報作成手段と、
　該手段によって作成されたインデックス情報及び光ディスク装置に記録された画像データを印刷出力する画像出力部と、
　操作のためのデータ入力を受け付けるキーボードとを備えた画像形成記憶装置において、
　前記操作のためのデータ入力および当該装置の状態に応じてモードを選択する手段、
　前記操作のためのデータ入力に応じて原稿読取部に原稿の画像を読み取らせる手段、
　前記操作のためのデータ入力に応じて前記画像出力部にインデックス情報に含まれるインデックス画像データを出力させる手段と
　前記操作のためのデータ入力に応じて光ディスク装置を操作し、また前記画像出力部に光ディスクに記録された画像データを画像出力させる手段
　とを備えた画像形成装置」（以下、「引用例１に記載された発明」という。）が記載されていると認める。
　
　同じく、原査定の拒絶の理由に引用された特開昭６１−５２６２号公報（昭和６１年１月１１日出願公開。以下、引用例２という。）には、特に公報第５頁右上欄第１−１８行及び第９図の記載からみて、連続複写可能な複写装置について、連続複写中に割り込み信号Ｉ／Ｒキー入力を受けると、セット数、コピー数、サイズ（上／下）モードをＲＡＭの別の番地に退避記憶させ、そして割り込みコピーが終了すると避難していた数値を元のＲＡＭ番地に戻し、元の複写を完了させることが記載されている。
　
３．対比
　
　本願発明と引用例１に記載された発明を対比すると、引用例１に記載された発明の「原稿読取部」、「記録」、「光ディスク装置」、「光ディスク装置に記録された画像データ」、「印刷出力」、「画像出力部」、「操作のためのデータ入力」、「キーボード」及び「モードを選択する」は、本願発明の「画像読取手段」、「記憶」、「記憶手段」、「記憶手段に記憶された文書」、「用紙上に画像形成」、「画像形成手段」、「使用者の命令」、「操作部」及び「各部のモードを設定する」にそれぞれ相当する。
　　　
　したがって、本願発明と引用例１に記載された発明とは、
「原稿の画像を画像データとして読み取る画像読取手段と、
　一単位の画像情報を一単位の文書として記憶する記憶手段と、
　各々の文書から１または複数のインデックス情報を作成するインデックス情報作成手段と、
　該手段によって作成されたインデックス情報及び前記記憶手段に記憶された文書を用紙上に画像形成して出力する画像形成手段と、
　使用者の命令を受け付ける操作部とを備えた画像形成記憶装置において、
　前記使用者の命令および当該装置の状態に応じて各部のモードを設定する手段と、
　前記使用者の命令に応じて前記画像読取手段に原稿の画像を読み取らせる手段と、
　前記使用者の命令に応じて前記画像形成手段に前記インデックス情報に含まれるインデックス画像データを出力させる手段と、
　前記使用者の命令に応じて前記記憶手段を操作し、また前記画像形成手段に前記記憶手段に記憶された文書を画像形成出力させる手段とを備えた画像形成装置。」
である点で一致し、以下の点で相違する。
　
（１）本願発明においては、一単位の画像情報を一単位の文書として記憶する記憶手段に記憶された文書からインデックス情報を作成するのに対して、引用例１記載された発明は、原稿読取手段で読み取られページメモリに格納された文書からインデックス情報を作成する点
（２）本願発明においては、使用者の命令の受け取りによる入力の変化、各手段の状態の変化およびエラー状態をイベントとして検出する手段と、該イベントをモニタする処理を行う手段とを備え、前記イベントに応じて当該装置の動作が変化するようにする制御部を設けたのに対して、引用例１には、イベントに応じて装置の動作が変化するようにする制御部について明記されてない点
（３）本願発明においては、記憶手段による一連の画像情報の記憶処理中に割り込みイベントを確認した場合に処理状態の情報を記憶する手段と、その後割り込み解除イベントを確認した場合に記憶してある前記処理状態の情報を用いて割り込みイベント発生時の処理状態を復元する手段と、前記記憶手段による一連の画像情報の記憶処理を中断する場合に前記割り込みイベントを発生させ、再開時に前記割り込み解除イベントを発生させて、画像情報の記憶処理を中断時と同一の文書として行なうようにする中断管理手段とを設けたのに対して、引用例１には、一連の画像情報の記憶処理中の中断処理について記載されていない点
　
４．当審の判断
　
　上記相違点について検討する。
　
（相違点１について）
　インデックス情報を作成するのに、一単位の画像情報を一単位の文書として記憶する記憶手段に記憶された文書から作成するか、原稿読取手段で読み取られページメモリに格納された文書から作成するかは、
　原稿の読み取り作業とインデックス情報作成作業の作業手順を、作業の行い易さ等を考慮して、原稿読み取り終了後に記憶手段から文書を読み出しインデックス情報を作成するか、原稿読み取り中にインデックス情報を作成するか等の手順の中から、当業者が適宜選択し設計すれば良いことにすぎず、格別の困難性は認められない。
　したがって、相違点１は格別なものとは認められない。
　
（相違点２について）
　イベントに応じて装置の動作が変化するように制御することは、本願出願前から周知であるから（必要なら、特開平２−２３１１７８号公報、特開平３−２４３３７９号公報、特開平４−２４９２６３号公報参照）、引用例１に記載された発明においても使用者の命令の受け取りによる入力の変化、各手段の状態の変化およびエラー状態をイベントとして検出する手段と、該イベントをモニタする処理を行う手段とを備え、前記イベントに応じて当該装置の動作が変化するようにする制御部を設けることは、当業者が容易になし得たことである。
　
（相違点３について）
　　イベントに応じて装置の動作を制御することは上記のように周知であるので、
　引用例２に記載された、連続複写中に割り込み信号Ｉ／Ｒキー入力を受けるとセット数、コピー数、サイズ（上／下）モードをＲＡＭの別の番地に退避記憶させ、そして割り込みコピーが終了すると避難していた数値を元のＲＡＭ番地に戻し元の複写を完了させる手段において、
　割り込み信号Ｉ／Ｒキー入力を受けること及び割り込みコピーが終了することを、割り込みイベント及び割り込み解除イベントとして、引用例１に記載された一単位の画像情報を一単位の文書として記憶する記憶手段に適用し、
　記憶手段による一連の画像情報の記憶処理中に割り込みイベントを確認した場合に処理状態の情報を記憶する手段と、その後割り込み解除イベントを確認した場合に記憶してある前記処理状態の情報を用いて割り込みイベント発生時の処理状態を復元する手段とすることに何ら困難な点も認めることは出来ない。
　そして、割り込みの前後で一単位の画像情報を一単位の文書として記憶するためには、割り込み解除後に、割り込み前と同一のファイルに引き続いて記憶すればよいことは自明であるので、
　記憶手段による一連の画像情報の記憶処理を中断する場合に前記割り込みイベントを発生させ、再開時に前記割り込み解除イベントを発生させて、画像情報の記憶処理を中断時と同一の文書として行なうようにする中断管理手段とを設けることは、当業者が容易になし得たことである。
　以上のとおりであるので、相違点３を格別のものと認めることはできない。
　
５．むすび
　
　したがって、本願発明は、引用例１及び引用例２に記載された発明に基づいて、当業者が容易に発明をすることができたものと認められるから、特許法第２９条第２項の規定により特許を受けることができない。
  よって、結論のとおり審決する。